(57)【特許請求の範囲】
【請求項１】
来訪者が居住者を呼び出すための呼出ボタンと、来訪者が居住者と通話するためのマイク及びスピーカと、来訪者を撮像するためのカメラとを有するカメラ付ドアホン子機であって、
カメラ付ドアホン子機のケースは前面側を構成するケース上と、背面側を構成するケース下とからなり、
前記カメラを備えたカメラユニットは、チルト動作を可能とするために左右に延びたチルト軸を備え、前記チルト軸に前記カメラをチルト操作するためのチルト調整ツマミと、チルト角度を段階的に保持するチルト保持突起とを設ける一方、
前記ケース上は、前記チルト軸の両端を軸支する第１軸受け及び第２軸受けと、前記チルト保持突起が係合する複数の係合溝と、前記チルト調整ツマミを前方に露出させるチルト操作窓とを備え、
前記ケース下は、前記ケース上の第１軸受け及び第２軸受けに対向する部位に、軸支したチルト軸を支持する第１支持片及び第２支持片を設け、更に前記第１支持片及び第２支持片との間に前記チルト軸の後方への撓み量を規制する規制片を設け、
前記チルト調整ツマミが操作されると、前記チルト保持突起が前記複数の係合溝間を移動して係合することを特徴とするカメラ付ドアホン子機。
【請求項２】
前記規制片の前記チルト軸との当接部は、前記チルト軸の径に対して所定量大きな径で形成された凹部から成ることを特徴とする請求項１記載のカメラ付ドアホン子機。
【請求項３】
前記チルト保持突起は、前記チルト調整ツマミ近傍に配置されて成ることを特徴とする請求項１又は２記載のカメラ付ドアホン子機。
【請求項４】
前記ケース上の前面に覆設される化粧パネルを有し、化粧パネルの装着により前記チルト操作窓は隠蔽されることを特徴とする請求項１乃至３の何れかに記載のカメラ付ドアホン子機。
【発明の詳細な説明】
【技術分野】
【０００１】
本発明はカメラ付ドアホン子機に関し、特にカメラにチルト機能を設けたカメラ付ドアホン子機に関する。
【背景技術】
【０００２】
従来のチルト操作を可能としたメラ付ドアホン子機は、ドアホン子機の背面にチルト調整ツマミを設けて、カメラの撮像方向を上下に変更すことが可能であった（例えば、特許文献１参照）。このカメラのチルト角を変更可能とすることで、カメラ付ドアホン子機の取付位置や設置環境に合わせて撮像角度を調整でき、来訪者を的確に撮像することを可能とした。
【先行技術文献】
【特許文献】
【０００３】
【特許文献１】特開２００１−１６３０７号公報
【発明の概要】
【発明が解決しようとする課題】
【０００４】
しかしながら、カメラ付ドアホン子機はケース前面付近にカメラが配置されているため、ケース背面から操作する従来の機構は複雑化していた。例えば、カメラをチルトさせるためのツマミはカメラを組み込んだカメラユニットとは別部品で構成され、カメラユニットとの連結構造が必要であった。
また、壁面に取り付けた状態のカメラ付ドアホン子機は、チルト操作ツマミが隠れてしまうため、チルト角度を変更したい場合はカメラ付ドアホン子機を壁面から外す作業が必要であり、操作が面倒であった。
【０００５】
そこで、本発明はこのような問題点に鑑み、カメラをチルト操作する構造を簡素化し、且つ施工後もチルト操作が容易なカメラ付ドアホン子機を提供することを目的としている。
【課題を解決するための手段】
【０００６】
上記課題を解決する為に、請求項１の発明は、来訪者が居住者を呼び出すための呼出ボタンと、来訪者が居住者と通話するためのマイク及びスピーカと、来訪者を撮像するためのカメラとを有するカメラ付ドアホン子機であって、カメラ付ドアホン子機のケースは前面側を構成するケース上と、背面側を構成するケース下とからなり、カメラを備えたカメラユニットは、チルト動作を可能とするために左右に延びたチルト軸を備え、チルト軸にカメラをチルト操作するためのチルト調整ツマミと、チルト角度を段階的に保持するチルト保持突起とを設ける一方、ケース上は、チルト軸の両端を軸支する第１軸受け及び第２軸受けと、チルト保持突起が係合する複数の係合溝と、チルト調整ツマミを前方に露出させるチルト操作窓とを備え、ケース下は、ケース上の第１軸受け及び第２軸受けに対向する部位に、軸支したチルト軸を支持する第１支持片及び第２支持片を設け、更に第１支持片及び第２支持片との間にチルト軸の後方への撓み量を規制する規制片を設け、チルト調整ツマミが操作されると、チルト保持突起が複数の係合溝間を移動して係合することを特徴とする。
この構成によれば、チルト操作ツマミはカメラユニットと一体に形成されるので、チルト操作構造を簡素化できる。そして、ケース前面側からチルト調整するため、壁面からケースを外して調整する必要がないし、実際に撮像される映像を見ながらチルト調整ができ、利便性が良い。
また、規制片によりチルト軸の撓みすぎが規制されるので、撓みによりカメラユニットチルトや軸受けが破損するのを防止できる一方、操作時に撓むことでチルト保持突起が係合溝間を無理なく移動でき、チルト操作をスムーズに実施することが可能となる。
【０００７】
請求項２の発明は、請求項１に記載の構成において、規制片のチルト軸との当接部は、チルト軸の径に対して所定量大きな径で形成された凹部から成ることを特徴とする。
この構成によれば、チルト軸は撓んでもスムーズに回動するため、チルト操作をスムーズに実施できる。
【０００８】
請求項３の発明は、請求項１又は２記載の構成において、チルト保持突起は、チルト調整ツマミ近傍に配置されて成ることを特徴とする。
この構成によれば、チルト保持突起はチルト調整ツマミ付近に配置されるので、チルト操作を受けてチルト軸の捻れ作用を受けることなくチルト保持突起が移動でき、スムーズに操作できる。
【０００９】
請求項４の発明は、請求項１乃至３の何れかに記載の構成において、ケース上の前面に覆設される化粧パネルを有し、化粧パネルの装着によりチルト操作窓は隠蔽されることを特徴とする。
この構成によれば、通常使用時は化粧パネルによりチルト操作窓は隠蔽されるので、チルト調整ツマミを表側に設けても表面には現れない。よって、来訪者等が操作する心配がないし、美観上も悪化することがない。更に、化粧パネルで覆うことでチルト操作窓から雨水の浸入を防ぐことができる。
【発明の効果】
【００１０】
本発明によれば、チルト操作ツマミはカメラユニットと一体に形成されるので、チルト操作構造を簡素化できる。そして、ケース前面側からチルト調整するため、壁面からケースを外して調整する必要がないし、実際に撮像される映像を見ながらチルト調整ができ、利便性が良い。
また、規制片によりチルト軸の撓みすぎが規制されるので、撓みによりカメラユニットチルトや軸受けが破損するのを防止できる一方、操作時に撓むことでチルト保持突起が係合溝間を無理なく移動でき、チルト操作をスムーズに実施することが可能となる。
【図面の簡単な説明】
【００１１】
【図１】本発明に係るカメラ付ドアホン子機の一例を示す正面図である。
【図２】図１のカメラ付ドアホン子機ケースの斜視図であり、ケース上とケース下とを分離した状態を示している。
【図３】ケース上の背面構造を示す斜視図である。
【図４】カメラユニットの一部であるレンズフランジを示し、（ａ）は表側斜視図、（ｂ）は裏側斜視図である。
【図５】レンズフランジをケース上に組み付ける様子を示す背面側斜視図である。
【図６】レンズフランジを組み付けたケース上の斜視図であり、（ａ）は表側斜視図、（ｂ）は背面側視斜視図を示している。
【図７】ケース上に組み付けたレンズフランジとケース下の関係を示し、（ａ）はケース下の斜視図、（ｂ）は一部を拡大した図である。
【発明を実施するための形態】
【００１２】
以下、本発明を具体化した実施の形態を、図面を参照して詳細に説明する。図１は本発明に係るカメラ付ドアホン子機の正面図、図２はカメラ付ドアホン子機ケースの分解斜視図を示し、１はケース、２は化粧パネル、３はカメラ部、４はカメラカバー、５はマイク部、６はスピーカ部、７は呼出ボタンである。
【００１３】
ケース１は、前面側を構成するケース上１ａと背面側を構成するケース下１ｂとから成り、前面側と背面側とが分離形成されている。ケース上１ａにおいて、１１は図示しないカメラが組み込まれるカメラユニットを露出させるカメラユニット収容窓、１２はカメラの上下方向の撮像角度の調整（チルト調整）を行うためのチルト操作窓、１３は呼出ボタン７を配置する呼出ボタン窓である。
また、図３のケース上１ａの背面図に示すように、ケース上１ａ背面にはカメラユニットを回動可能に支持するための第１軸受け１４、第２軸受け１５、チルト角度を保持するための複数の溝を有する係合溝１６が形成されている。第１軸受け１４はチルト操作窓１２の周囲に形成された半円筒形状の曲面で構成され、第２軸受け１５はＵ字状の凹部を有する舌状の突起片である。
【００１４】
図４は、カメラやレンズを備えたカメラユニットの一部を成すレンズフランジ２０を示している。レンズフランジ２０はこの図４に示すように、略四角形に形成されてカメラやレンズ等を収容するカメラ収容部２１を有し、その左右に回動軸であるチルト軸２２が突設されている。
チルト軸２２には、チルト調整ツマミ２３、設定したチルト角を保持するためのチルト保持突起２４が形成されている。何れもケース上１ａ側となる前方に向けて突設され、チルト調整ツマミ２３はチルト軸２２の左端に形成されている。チルト保持突起２４は、チルト調整ツマミ２３とカメラ収容部２１の間にチルト調整ツマミ２３に隣接するよう形成されている。
【００１５】
そして、チルト調整ツマミ２３の周囲曲面が、ケース上１ａに形成された第１軸受け１４に係合する前側第１支持部２６であり、他のチルト軸２２に対比して大きな径の円筒形状となっている。一方、チルト軸２２の他端となる右端は、ケース上１ａの第２軸受け１５に係合する前側第２支持部２７である。
【００１６】
また、チルト軸２２の前側第１支持部２６の裏側は、ケース下１ｂに支持される後側第１支持部２８が前側第１支持部２６と異なり細径で形成されている。一方、前側第２支持部２７の裏側はケース下１ｂに支持される後側第２支持部２９であり、前側第２支持部２７と同一径で形成されている。
そして、チルト調整ツマミ２３とチルト保持突起２４の間のチルト軸２２は、ケース下１ｂに支持される後側第３支持部３０となっている。この後側第３支持部３０は、後側第２支持部２９と同一径で形成されている。
【００１７】
一方、ケース下１ｂには、図２に示すようにケース上１ａに形成された第１軸受け１４に対向するようチルト軸２２を支持するための第１支持片３２が配置され、第２軸受け１５に対向するようチルト軸２２を支持するための第２支持片３３が配置されている。そして、チルト軸２２の第３支持部３０を支持する第３支持片３４を備えている。
第１支持片３２及び第２支持片３３は、支持するチルト軸２２と同一径で形成された凹形状の支持部を備えているが、第３支持片３４は支持するチルト軸２２より所定量大きな径で形成された凹形状の支持部を有し、通常状態で隙間を有するよう形成されている。
【００１８】
以下、上記構成のカメラ付ドアホン子機のチルト機構の作用を具体的に説明する。図５はレンズフランジ２０をケース上１ａに組み付ける途中を示し、図６は組み付け後の状態を示している。図５に示すように、レンズフランジ２０はレンズカバー３６が装着されてケース上１ａに組み付けられる。尚、レンズカバー３６は透明合成樹脂材で形成されたレンズフランジ２０の必要部位のみ露出させるための部材であり、レンズフランジ２０と一体化してもよい。
【００１９】
この結果、カメラ収容部２１の前面がカメラユニット収容窓１１から露出し、来訪者の撮像が可能となる。また、チルト調整ツマミ２３もケース上１ａのチルト操作窓１２から前面側に露出し、ケース前面側からチルト調整が可能となる。
そして、チルト軸２２の両端は第１軸受け１４及び第２軸受け１５に係合し、チルト保持突起２４はケース上１ａの複数形成された係合溝１６の一つと嵌合する。
【００２０】
図７はレンズフランジ２０をケース上１ａに組み付けた後、ケース下１ｂをケース上１ａに嵌合した際のレンズフランジ２０とケース下１ｂの関係を示している。レンズフランジ２０を組み付けたケース上１ａにケース下１ｂを嵌合すると、上述した図４に示すチルト軸２２の後側第１支持部２８、後側第２支持部２９が、図７に示すようにそれぞれ第１支持片３２、第２支持片３３により支持される。その結果、チルト軸２２は第１軸受け１４と第２軸受け１５に回動可能に軸支される。
但し、この時チルト軸２２の後側第３支持部３０は、図７（ｂ）の拡大図に示すようにケース下の第３支持片３４から隙間Ｈ（例えば、Ｈ＝１．０ｍｍ）を開けて通常状態では接しないように配置された状態となる。
【００２１】
このようにカメラユニットを構成するレンズフランジ２０が組み付けられた状態で化粧パネル２をケース上１ａに装着すると、正面から見た状態は概略図１に示すようになり、チルト調整ツマミ２３は隠蔽される。但し、図１は呼出ボタン７等を組み付けたカメラ付ドアホン子機として使用可能な状態を示している。
【００２２】
施工後はこの状態で使用され、施工後にチルト角を変更する場合は化粧パネル２を外すことで実施される。使用時は、カメラ付ドアホン子機が壁面に取り付けられた状態であるため、チルト調整ツマミ２３が操作される場合、壁面方向に押しながら操作される。そのため、チルト軸２２の中心部分が後方に撓み、チルト調整ツマミ２３付近に配置されているチルト保持突起２４は、適度に後方に移動して係合溝１６との係合が緩み、チルト保持突起２４が複数の係合溝１６間をスムーズに移動する。
【００２３】
このとき、チルト調整ツマミ２３の押し込み量が大きくなると、チルト軸２２の撓みが大きくなり、チルト軸２２と第３支持片３４の間に設けた隙間Ｈが無くなり接触する。そのため、チルト軸２２は所定量以上に撓むことがない。また、第３支持片３４はチルト軸２２より所定量大きな径で形成された凹部でチルト軸２２を支持することで、チルト軸２２は撓んでもスムーズに回動でき、チルト操作をスムーズに実施できる。
【００２４】
このように、チルト操作ツマミ２３はカメラユニットを構成するレンズフレーム２０と一体に形成されるので、チルト操作構造を簡素化できる。そして、ケース前面側からチルト調整するため、壁面からケースを外して調整する必要がないし、実際に撮像される映像を見ながらチルト調整ができ、利便性が良い。
また、規制片としての第３支持片３４によりチルト軸２２の撓みすぎが規制されるので、過度の撓みが規制され、チルト軸２２やレンズフランジ２０が破損するのを防止できる一方、操作時に撓むことでチルト保持突起２４が係合溝１６間を無理なく移動でき、チルト操作をスムーズに実施できる。
更に、チルト保持突起２４はチルト調整ツマミ２３とカメラ収容部２１との間、即ちチルト調整ツマミ２３付近に配置されるので、チルト操作を受けてチルト軸２２の捻れ作用を受けることなくチルト保持突起２４を移動させることができ、スムーズに操作できる。
また、通常使用時は化粧パネル２によりチルト操作窓１２は隠蔽されるので、チルト調整ツマミ２３を表側に設けても表面には現れない。よって、来訪者等が操作する心配がないし、美観上も悪化することがない。更に、化粧パネル２で覆うことでチルト操作窓１２から雨水の浸入を防ぐことができる。
【００２５】
尚、上記実施形態では、チルト軸２２の後方への撓みを規制する規制片としての第３支持片は、チルト軸２２より僅かに大きな径の凹部を設けてチルト軸２２を把持するよう構成されているが、当接部は平坦であっても良い。
また、チルト軸２２の前側第１支持部２６を大きな径で形成しているが、前側第１支持部は、チルト操作窓１２の気密性を上げるため大きな径としているもので、前側第１支持部２６と後側第１支持部２８は同一径としても良い。
【符号の説明】
【００２６】
１・・ケース、１ａ・・ケース上、１ｂ・・ケース下、２・・化粧パネル、３・・カメラ、５・・マイク部、６・・スピーカ部、７・・呼出ボタン、１２・・チルト操作窓、１４・・第１軸受け、１５・・第２軸受け、１６・・係合溝、２０・・レンズフランジ（カメラユニット）、２２・・チルト軸、２３・・チルト調整ツマミ、２４・・チルト保持突起、３２・・第１支持片、３３・・第２支持片、３４・・第３支持片（規制片）。
【図１】
0005555668.tif 000002
【図２】
0005555668.tif 000003
【図３】
0005555668.tif 000004
【図４】
0005555668.tif 000005
【図５】
0005555668.tif 000006
【図６】
0005555668.tif 000007
【図７】
0005555668.tif 000008